(57)【特許請求の範囲】
【請求項１】
２つの成形シェル及び前記成形シェルのまわりに配置された環状のクロージャ部材からなる型が、組み立てられ、それらで必要とされる型キャビティを構成し、前記型は成形材料で満たされ、少なくとも前記成形材料の重合が開始される、重合性合成材料から光学レンズを製造する方法において、
前記型の組み立て、型キャビティの充填、及び少なくとも前記成形材料の重合の開始の操作が、同じ装置で行われ、 前記クロージャ部材は、少なくとも２つのあごを有し、それらの少なくとも１つは、可動であり、結合して前記成形シェルを囲むようになっていることを特徴とする重合性合成材料から光学レンズを製造する方法。
【請求項２】
前記成形シェルは、縁に配置され、注入開口部が、前記型キャビティ内に前記成形材料を導くために、前記クロージャ部材に形成され、前記注入開口部は、前記型キャビティの低部にある、請求項１に記載の方法。
【請求項３】
前記注入開口部は、前記型キャビティの最低点にある、請求項２に記載の方法。
【請求項４】
前記成型材料の重合は、暴露により、少なくとも開始され、必要な放射源は、前記成型シェルの少なくとも１つに整列して配置される、請求項１乃至３のいずれか一項に記載の方法。
【請求項５】
一装置内で、型を組み立て、該型に必要な成形材料を満たし、少なくとも前記成形材料の重合を開始する、重合性合成材料の光学レンズを製造する前記装置であって、
前記型は、２つの成形シェルを含み、その少なくとも一方は放射線に対し透明であり、前記成形シェルのまわりには環状のクロージャ部材が配置されて成型キャビティが形成されており、
前記クロージャ部材は、少なくとも２つのあごを有し、それらの少なくとも１つは、可動であり、結合して前記成形シェルを囲むようになっていることを特徴とする重合性合成材料から光学レンズを製造する装置。
【請求項６】
前記あごは、内面が半円筒形である、請求項５に記載の装置。
【請求項７】
前記２つのあごは、共通フレームと係合し、それらのうち少なくとも１つは、前記フレームに平行に可動である、請求項６に記載の装置。
【請求項８】
前記１つのあごは、前記フレームに平行に可動であり、もう１つのあごは、前記フレームに対して固定される、請求項７に記載の装置。
【請求項９】
前記フレームに平行に可動な前記あごの端部は、前記フレームに設けられた溝を摺動する、請求項５乃至８のいずれか一項に記載の装置。
【請求項１０】
前記可動あごは、少なくとも１つの複動ラムによって動かされる、請求項７乃至９のいずれか一項に記載の装置。
【請求項１１】
前記２つのあごは、前記フレームに垂直方向に間隔を開けて配置され、それらの内面の軸線は水平である、請求項７乃至１０のいずれか一項に記載の装置。
【請求項１２】
前記一方のあごは、固定された底部あごであり、前記他方のあごは、可動な頂部あごである、請求項１１に記載の装置。
【請求項１３】
前記底部あごは、アウトレットが前記注入開口部を構成するあごを貫通する孔を有し、前記頂部あごは、それを貫通する通気孔を有する、請求項１１又は１２に記載の装置。
【請求項１４】
前記注入開口部は、前記底部あごの前記内面の最低の母線にある、請求項１３に記載の装置。
【請求項１５】
各あごは、金属ブロックにより形成され、その内面は、合成材料ライニングを有する、請求項５乃至１４のいずれか１つに記載の装置。
【請求項１６】
さらに放射源有する、請求項５乃至１５のいずれか１つに記載の装置。
【発明の詳細な説明】
【０００１】
【発明の属する技術分野】
本発明は、重合性合成材料からの光学レンズ、特に、排他的ではないが、眼用レンズの製造に関する。
【０００２】
【従来の技術】
３つの操作が、光学レンズの製造に含まれる。
第一段階は、通常、２つの成形シェル及び成形シェルのまわりに適合する環状クロージャ部材からなる型を組み立て、その型で、必要とされる型キャビティを構成することである。
次は、組み立てられた型を、通常、成形シェルの周囲のクロージャ部材に注入のために設けられた開口部を通じて、成形材料を型キャビティに注入することによって、成形材料で満たす。
最後の操作は、成形材料を重合することであり、本発明は、特に、しかし排他的ではないが、露光によって少なくとも重合を開始する状態に関する。
現在は、型を組み立て、型を満たし、そして、成形材料の重合を少なくとも開始する、この３つの操作は、異なるステーションで行われる。
従って、型は、組み立てステーションで組み立てられ、そこで、成形シェルのまわりに適合する環状クロージャ部材は、普通、成形シェルから離れており、成形シェルが入れられるシール又は成形シェルの縁のまわりに適合するスリーブのどちらかである。
【０００３】
次に、充填専用のステーションであり、そこで、少なくとも部分的に自動化された工程によって充填される型は、型に特定量の成形材料をノズルを介し配給する充填装置の下方に配置される。
最後に、少なくとも重合は専用ステーションで始まり、専用ステーションでは、重合性成形材料で満たされる型が、必要な放射源及び／又は熱源にさらされる。
コンベヤ手段が、型を、ほとんどいつも中間的に保管しながら、ステーション間を移動させるために必要である。
それゆえ、工程は複雑であり、費用を増加させる。
【０００４】
【発明が解決しようとする課題】
本発明の一般的な目的は、重合性合成材料光学レンズを製造する、より経済的な方法とこの方法を実行するための装置を提供することである。
【０００５】
【課題を解決するための手段】
本発明によれば、型を組み立て、型を満たし、そして、少なくとも成形材料の重合を開始する操作は、同じ装置で行われる。
それゆえ、種々の操作の間、コンベヤ手段及び中間的な保管を必要としないので、生産性が改善される。
本発明の装置は、好ましくは、型を構成するために、２つの成形シェルを結合して囲むようにされた、少なくとも２つのあごを含み、成形シェルのためのクロージャ部材を形成し、成形シェルとともに、必要な型キャビティを構成し、前記あごの少なくとも１つは、型を開閉するために可動である。
２つのあごは、実際に、共通フレームと十分に係合し、あごの少なくとも１つは、フレームに平行に可動である。
本発明の装置は、必要とされるすべては、あごの間に２つの成形シェルを置くことである型を組み立てるのに十分である。また、装置は、組み立てをかなりの程度簡単にする。
また、必要とされるすべては、アウトレットが注入開口部を形成する１つのあごを貫通する孔であるので、本発明の装置は、組み立てられた型の充填を元の場所で行うことを可能にし、この孔は、型の充填のためのいかなる形態の管にも連結される。
【０００６】
最後に、本発明の装置は、少なくとも成形される材料の重合を開始させ、これは、例えば、紫外線放射源のような放射源との関連のみを必要とし、この放射源を１つの成形シェルと整列して置き、成形シェルは、少なくとも成形材料の重合を少なくとも開始させる放射に対して透明である。紫外線の場合、成形シェルは、普通、ガラスで作られるので、必要な透明性を有している。
この種の装置は、縁及び中心のいかなる厚さを有する、完成した又はほぼ完成した光学レンズの製造を可能にする利点を有する。
縁の厚さは、実際に、２つの成形シェルによる、注入開口部の全体の閉鎖によってのみ制限される。
ほぼ完成した光学レンズの縁の厚さは、例えば、１０ｍｍまでであり、完成したレンズの中心の厚さは、ある場合には、１ｍｍ程度になる。
もし、本発明の工程の好ましい実施形態において、型キャビティが満たされる注入開口部が、型キャビティの低部、さらに正確には、その最低部にあるならば、本発明の装置で作られたレンズは、大きな信頼性という追加の利点を有する（すなわち、捨てられなければならないような光学的な欠損がほとんどない）。
【０００７】
本発明の特徴及び利点は、添付図面を参照して、実施例として与えられる以下の説明から明らかになるだろう。
【０００８】
【実施形態】
図面は、重合性合成材料の成形による光学レンズ１０の製造を示す。
もし、光学レンズ１０が、眼用レンズであるならば、工程は、ブランクを製造し、それから、眼用レンズが作られる。ブランクは、通常、円形だが、いつも、それとは限らない。
レンズを製造するのに使用される本発明の装置１１は、型１３を構成するために、２つの実質的に平行な成形シェル１４Ａ、１４Ｂの縁のまわりに適合する、少なくとも２つのあご１２’、１２”を含む。あごは、成形シェル１４Ａ、１４Ｂのためのクロージャ部材１２を形成し、それらとともに、型キャビティ１５を構成する。
成形シェル１４Ａ、１４Ｂは、よく知られている。
それらの内側で面する表面は、成形される光学レンズ１０の必要な表面と反対の形を構成する。
ＥＡ  、ＥＢ  は、それらの縁１６に沿った成形シェル１４Ａ、１４Ｂの厚さを表示し、ＥＣ  は、型キャビティ１５を構成するのに必要とされる、それらの間の距離を表示する。
【０００９】
示される実施形態では、本発明の装置１１は、ただ２つのあご１２’、１２”を有し、各あごの内面１８は、一般的に、成形シェル１４Ａ、１４Ｂの外形として同じ半径を有する半円筒形である。
２つのあご１２’、１２”は共通フレーム１９と係合し、それらの内の１つは、フレーム１９に平行に可動である。
示される実施例では、フレーム１９は、２つの側面フランジ２０、及び一端で側面フランジ２０に接合する交差部材２１からなる。
示される実施形態では、側面フランジ２０は、垂直及び平行で、横断部材２１は、それらの上端の間を水平に延びる。
２つのあご１２’、１２”は、側面フランジ２０に沿って、フレーム１９に垂直方向に間隔を開けて配置され、それゆえ、それらの内面１８の軸線は水平である。
２つのあご１２’、１２”が成形シェル１４Ａ、１４Ｂとともに形成する型１３も、それゆえ、水平軸線を有する。
示される実施形態では、あご１２’、１２”の内のたった１つが、フレーム１９に平行に移動でき、もう１つは、フレーム１９に対して固定される。
【００１０】
例えば、底部あご１２’が固定され、頂部あご１２”は、可動であり、フレーム１９、さらに正確には、側面フランジ２０の内面に、この目的のために設けられた溝２２を摺動する。
２つのあご１２’、１２”の各々は、外形が内面１８を形成する凹部を除いて、平行六面体形状である金属の固形ブロックである。
それらの端は、フレーム１９の溝２２に嵌まることによって相互に係合する。
あご１２’、１２”の内面１８は、好ましくは、合成材料ライニング２３を有する。
ライニング２３は、内面１８の各端で半円形クランプ２４によって固定される。
各あご１２’、１２”のクランプ２４の間の距離Ｄは、成形シェル１４Ａ、１４Ｂの厚さＥＡ  、ＥＢ  と距離ＥＣ  の合計よりも大きい。
２つのあご１２’、１２”は同一である。
示される実施形態では、底部あご１２’は、型キャビティ１５のための注入開口部２６で、底部あご１２’の内面１８に開いている孔２５を有する。頂部あご１２”には、通気孔２８がある。
【００１１】
注入開口部２６は、好ましくは、ここに示されるように、底部あご１２’の内面１８の最低の母線上にある。同様に、頂部あご１２”の孔２８は、好ましくは、内面１８の最高の母線上に開いている。
可動あご１２”は、少なくとも１つの複動ラム２９によって移動する。
示される実施形態では、２つの平行な複動ラム２９が使用される。
それらのシリンダー３０は、フレーム１９の交差部材２１によって支えられる。それらのピストンロッド３１は、可動あご１２”に連結される。
固定されるあご１２’は、適当な手段によってフレーム１９に固定される。例えば、フレームに溶接され、又はボルトで止められる。
これらの設備は、当業者にとって明らかとなるであろうから、ここには記述されない。
固定されるあご１２’の孔２５は、成形材料の供給部（図示せず）を、型キャビティ１５に接続するためのパイプ３２に接続される。
本発明の装置１１は、以下の方法により使用される。例えば、
第一段階は、型１３を組み立てることである。
【００１２】
頂部あご１２”が底部あご１２’から離れることを仮定すると、成形シェル１４Ａ、１４Ｂは、底部あご１２’に位置し、簡単に内面１８と嵌まっている。成形シェル１４Ａ、１４Ｂは、互いに平行に縁に配置され、形成される型キャビティ１５に適当な距離ＥＣ  によって分離される（図２Ａ）。
あご１２’の内面１８に成形シェル１４Ａ、１４Ｂを簡単に嵌めることは、それらを所定の位置に保持する。
それから、あご１２”は、複動ラム２９によって、内面１８が成形シェル１４Ａ、１４Ｂの縁に接触するまで下げられる（図２Ｂ）。
型１３が閉じられるので、型１３は、パイプ３２を通って、成形材料の必要な量で満たされる。
例えば、ポンプ手段が、成形材料を型キャビティ１５に連続的に（即ち、滑らかに）送り込む。
これらの設備は、本発明に関連していないので、それらは記述されない。
次に、成形材料は、重合を開始させるために露光される。
終わりに、本発明の装置１１は、成形シェル１４Ａ、１４Ｂの少なくとも１つと、この例では、成形シェル１４Ａと整列して提供される放射源３３と関連する（図２Ｃ参照）。
【００１３】
放射源３３は、例えば、紫外線放射源である。
例えば、成形シェル１４Ａは、ガラスで作られ、必要とされる、成形材料の重合を開始するために、紫外線に対して、少なくとも部分的に透明である。
上述の説明は、本発明によれば、型１３を組み立て、それを充填し、少なくとも成形材料の重合を開始する操作が、同じ装置、即ち装置１１で行われることを示す。
光学レンズ１０の重合が、完了する又は十分な程度に達すると、型１３は、複動ラム２９によって、頂部あご１２”を上げることにより開けられる（図２Ｄ）。光学レンズ１０及び組立体３４を囲む２つの成形シェル１４Ａ、１４Ｂからなる組立体３４は、それから、底部あご１２’から取り外される。
図３を参照すると、成形材料の重合の完了後、必要ならば、光学レンズ１０から成形シェル１４Ａ、１４Ｂを取り外すことが、単に残っているだけである。
もちろん、本発明は、実施形態、記述された適用に限られず、本発明の全てのいろいろな実施を示さないが、それらを包含する。
例えば、本発明の装置が有するあごの数は、２つより大きくてもよく、及び／又は、平行に移動するのではなく、これらのあごの１つが、回転移動でき、例えば、他のあごに対して回動してもよい。
【００１４】
さらに、それらが成形シェルと一緒に形成される型が、必ずしも水平軸線を有することは必要でなく、例えば、軸線は、垂直でも十分よい。
最後に、底部から型を満たすことが好ましいが、これは必須ではない。
【図面の簡単な説明】
【図１】本発明の装置の斜視図である。
【図２】Ａ，Ｂ，Ｃ，Ｄは、装置の使用の種々の連続的な状態を示す、図１の縮尺より小さい斜視図である。
【図３】この装置を使用して作られた光学レンズの型からの取り外しを示す、図１と同じ縮尺の斜視図である。
【符号の説明】
１０  光学レンズ
１１  装置
１２  クロージャ部材
１２’  底部あご
１２”  頂部あご
１３  型
１４  成形シェル
１５  型キャビティ
１６  縁
１８  内面
１９  フレーム
２０  側面フランジ
２１  横断部材
２２  溝
２３  ライニング
２４  クランプ
２５  孔
２６  注入開口部
２８  通気孔
２９  複動ラム
３０  シリンダー
３１  ピストンロッド
３２  パイプ
３３  放射源
３４  組立体
【図１】
0003566800.tif 000002
【図２】
0003566800.tif 000003
【図３】
0003566800.tif 000004